【手続補正書】
【提出日】平成16年11月2日(2004.11.2)
【手続補正１】
【補正対象書類名】明細書
【補正対象項目名】特許請求の範囲
【補正方法】変更
【補正の内容】
【特許請求の範囲】
【請求項１】
液晶ディスプレイ（ＬＣＤ）（１００、５００、９００、１１００、１２００、１５００、１７００）であって、
液晶セル（１０２、５０２、９０２、１５０２）と、
前記液晶セルに光学的に揃えられ、制御可能な反射モードと透過モードとを有し、前記反射モードでは主に前記液晶セルから受光した光を反射して戻して前記液晶セルを通過させ、前記透過モードでは主に前記液晶セルに向けて光を透過するチューナブルミラー（１０４、３００、７００、１３００）と、
を備えていることを特徴とする液晶ディスプレイ。
【請求項２】
請求項１記載の液晶ディスプレイにおいて、前記チューナブルミラーは反転可能電気化学ミラー（ＲＥＭ）であることを特徴とする液晶ディスプレイ。
【請求項３】
請求項２記載の液晶ディスプレイにおいて、前記ＲＥＭは拡散反射を発生する艶消し表面を有することを特徴とする液晶ディスプレイ。
【請求項４】
請求項１記載の液晶ディスプレイにおいて、前記液晶セルの反対側の前記チューナブルミラー側にあり、発光状態と非発光状態との間で動作を制御により切り替え可能で、前記発光の動作状態では前記液晶ディスプレイを背面照明するバックライト（１０６、５０６、９０６、１５０６）を更に備えていることを特徴とする液晶ディスプレイ。
【請求項５】
請求項４記載の液晶ディスプレイにおいて、前記チューナブルミラーの反対側で前記液晶セルに光学的に揃えられ、第１の直線方向の第１の偏光面を有する第１の直線偏光要素（１０８、５０８、９０８、１５０８）を更に備えていることを特徴とする液晶ディスプレイ。
【請求項６】
請求項５記載の液晶ディスプレイにおて、前記チューナブルミラーと前記液晶セルとの間に光学的に揃えられ、前記第１の偏光面と直交する第２の直線方向の第２の偏光面を有する第２の直線偏光要素（１１０、５１０、９１０、１５１０）を更に備えていることを特徴とする液晶ディスプレイ。
【請求項７】
請求項６記載の液晶ディスプレイにおいて、
前記第１の偏光要素と前記液晶セルとの間の第１のＡ板と、
前記第２の偏光要素と前記液晶セルとの間の第２のＡ板と
を更に備えていることを特徴とする液晶ディスプレイ。
【請求項８】
請求項７記載の液晶ディスプレイにおいて、前記液晶セルに光学的に揃えられ、拡散した液晶ディスプレイ出力画像を生成する光拡散要素を更に備えていることを特徴とする液晶ディスプレイ。
【請求項９】
請求項８記載の液晶ディスプレイにおいて、前記チューナブルミラーによる反射時または前記チューナブルミラーを透過する時に光が拡散するように前記光拡散要素はチューナブルミラーと一体化されていることを特徴とする液晶ディスプレイ。
【請求項１０】
請求項４記載の液晶ディスプレイにおいて、
前記チューナブルミラーを反射モードと透過モードとの間で切り替える第１の制御システム（１１８、３０５、７０５、１３０６）と、
前記バックライトを発光状態と非発光状態との間で動作を切り替える第２の制御システム（１２０、５２０、９２０、１５２０）と、
を更に備えていることを特徴とする液晶ディスプレイ。
【請求項１１】
請求項１０記載の液晶ディスプレイにおいて、前記第１の制御システムと第２の制御システムとは、前記バックライトが前記発光状態のときには前記チューナブルミラーが前記透過モードで動作し、前記バックライトが前記非発光状態のときには前記チューナブルミラーが前記反射モードで動作するように直列形式で動作することを特徴とする液晶ディスプレイ。
【請求項１２】
請求項１１記載の液晶ディスプレイにおいて、前記第１の制御システムと第２の制御システムとは、周囲光のレベルが低いときには前記バックライトは前記発光状態で動作し、前記チューナブルミラーは前記透過モードで動作し、周囲光のレベルが高いときには前記バックライトは前記非発光状態で動作し、前記チューナブルミラーは前記反射モードで動作するように、周囲光のレベルに自動的に応答することを特徴とする液晶ディスプレイ。
【請求項１３】
請求項１２記載の液晶ディスプレイにおいて、前記第１の制御システムと第２の制御システムとは手動制御可能か周囲光に応答するかのどちらかに設定可能であることを特徴とする液晶ディスプレイ。
【請求項１４】
請求項４記載の液晶ディスプレイにおいて、
前記チューナブルミラーは、更に、前記液晶セルから受光した光を部分的に反射して戻して前記セルを通過させ、前記バックライトから受光した光を前記液晶セルに向けて部分的に透過する少なくとも１つの中間モードで動作可能であり、
前記バックライトは、更に、この液晶ディスプレイを部分的に照明する少なくとも１つの中間動作状態で動作可能であることを特徴とする液晶ディスプレイ。
【請求項１５】
請求項４記載の液晶ディスプレイにおいて、前記チューナブルミラーは、
前記第２の直線方向に直線偏光された光を第２の回転方向に円偏光された光に円偏光し、前記第２の回転方向に円偏光された光を前記第２の直線方向に直線偏光した光に直線偏光する４分の１波（λ／４）リターダであって、不規則（ランダム）に偏光された光に対しては実質的に透過的であるλ／４リターダと、
前記λ／４リターダに光学的に揃えられ前記液晶セルと反対側にある液晶リフレクタであって、透過状態と反射状態との間で動作を制御により切り替え可能で、前記反射状態では前記第２の回転方向に円偏光された光を反射し、前記透過状態では光を透過する液晶リフレクタと、
を備えており、前記チューナブルミラーは、前記液晶リフレクタが前記反射状態のときには前記反射モードで動作し、前記液晶リフレクタが前記透過状態のときには前記透過モードで動作することを特徴とする液晶ディスプレイ。
【請求項１６】
請求項４記載の液晶ディスプレイにおいて、前記チューナブルミラー要素は、
２つの状態の光学位相遅れがλ／２である第１の状態と第２の状態との間で動作を制御により切り替え可能なチューナブルリターダと、
前記液晶セルの反対側で前記リターダに光学的に揃えられ、前記リターダが前記第１の状態では前記リターダから受光した光を反射し、前記リターダが前記第２の状態では光を前記リターダを通して透過させる反射偏光子と、
を備えており、前記チューナブルミラーは、前記リターダが前記第１の状態のときには前記反射モードで動作し、前記リターダが前記第２の状態のときには前記透過モードで動作することを特徴とする液晶ディスプレイ。
【請求項１７】
請求項４記載の液晶ディスプレイにおいて、前記チューナブルミラー要素は、
０λ状態とλ／２状態との間で動作を制御により切り替え可能で、前記λ／２状態では前記第１の方向に直線偏光された光の偏光面を前記第２の方向に直線偏光された光に回転し、前記０λ状態では光を透過するゼロ−半波（０−λ／２）リターダと、
前記液晶セルの反対側で前記０−λ／２リターダに光学的に揃えられ、前記第２の方向に直線偏光された光を反射し、前記第１の方向の直線偏光を有する光を透過する反射偏光子と、
を備えており、前記チューナブルミラーは、前記０−λ／２リターダが前記０λ状態のときには前記反射モードで動作し、前記０−λ／２リターダが前記λ／２状態のときには前記透過モードで動作することを特徴とする液晶ディスプレイ。
【請求項１８】
請求項１７記載の液晶ディスプレイにおいて、前記０−λ／２リターダはネマチック液晶リターダであることを特徴とする液晶ディスプレイ。
【請求項１９】
請求項１７記載の液晶ディスプレイにおいて、前記バックライトと前記チューナブルミラーとの間に４分の１波（λ／４）リターダを更に備えていることを特徴とする液晶ディスプレイ。
【請求項２０】
請求項１７記載の液晶ディスプレイにおいて、前記液晶セルに光学的に揃えられており拡散した液晶ディスプレイ出力画像を生成する光拡散要素を更に備えていることを特徴とする液晶ディスプレイ。
【請求項２１】
請求項４記載の液晶ディスプレイにおいて、前記チューナブルミラーは、
２つの状態の光学位相遅れがλ／２である第１の状態と第２の状態との間で動作を制御により切り替え可能なチューナブルリターダと、
前記液晶セルの反対側で前記リターダに光学的に揃えられ、前記第１の状態の前記リターダから受光した光を反射し、前記第２の状態の前記リターダを通して光を透過するコレステリックリフレクタと、
を備えており、前記チューナブルミラーは、前記リターダが前記第１の状態のときには前記反射モードで動作し、前記リターダが前記第２の状態のときには前記透過モードで動作することを特徴とする液晶ディスプレイ。
【請求項２２】
請求項２１記載の液晶ディスプレイにおいて、前記チューナブルリターダは、−λ／４状態と＋λ／４状態との間で動作を制御により切り替え可能な負４分の１波−正４分の１波（＋／−λ／４）リターダであり、
前記リターダは、前記＋λ／４状態では第２の直線方向に直線偏光された光を第２の回転方向に円偏光された光に変換し、前記第２の回転方向に円偏光された光を前記第２の直線方向に直線偏光された光に変換し、前記−λ／４状態では第１の回転方向に円偏光された光を前記第２の直線方向に直線偏光された光に変換し、
前記コレステリックリフレクタは、前記第２の回転方向に円偏光された光を反射し、不規則（ランダム）に偏光された光の前記第１の回転方向の円偏光を有する成分を透過し、
前記チューナブルミラーは、前記＋／−λ／４リターダが前記＋λ／４状態のときには前記反射モードで動作し、前記＋／−λ／４リターダが前記−λ／４状態のときには前記透過モードで動作することを特徴とする液晶ディスプレイ。
【請求項２３】
請求項２２記載の液晶ディスプレイにおいて、前記＋／−λ／４リターダは、ゼロ−２分の１波（０−λ／２）リターダに光学的に揃えられた４分の１波（λ／４）リターダを備えていることを特徴とする液晶ディスプレイ。
【請求項２４】
請求項２２記載の液晶ディスプレイにおいて、前記コレステリックリフレクタは拡散反射コレステリック液晶ポリマーフィルムであることを特徴とする液晶ディスプレイ。
【請求項２５】
請求項２２記載の液晶ディスプレイにおいて、前記＋／−λ／４リターダは強誘電性液晶リターダであることを特徴とする液晶ディスプレイ。